(57)【要約】【課題】  ユーザ所望の楽曲に関する情報を煩わしい操作なく、正確に取得して出力することと、ユーザが所持している音楽ＣＤや音楽データのオンエア情報、演奏者の出演情報を簡単に取得して出力する番組表の出力装置を提供することである。【解決手段】  本発明の番組表の出力装置は、ＣＤプレーヤやＭＰ３と接続して、音楽ファイルの識別情報を取得し、楽曲情報提供サーバと番組情報提供サーバに接続して、前記音楽ファイルが放送される番組の番組表か、またはその演奏者の出演する番組の番組表を取得して、印刷、表示、または電子メールにより出力することにより課題を解決した。【選択図】図１
2008206075.tif 000002
【特許請求の範囲】
【請求項１】
音楽ファイルから楽曲の識別データを取得する楽曲識別データ取得手段と、
前記楽曲識別データに基づいて、楽曲属性データを取得する楽曲属性データ取得手段と、
前記楽曲識別データまたは前記楽曲属性データに基づいて、前記楽曲に関連する番組の番組表を取得する番組情報データ取得手段と、
前記楽曲に関連する番組の番組表を出力する出力手段と、を有する
ことを特徴とする番組表の出力装置。
【請求項２】
請求項１記載の番組表の出力装置であって、
前記楽曲に関連する番組の番組表は、前記楽曲が放送される番組の番組表、前記楽曲を含むアルバム中にある楽曲が放送される番組の番組表、若しくは前記楽曲の演奏者が出演する番組の番組表、またはそれらの自由な組み合わせである
ことを特徴とする番組表の出力装置。
【請求項３】
請求項１または２記載の番組表の出力装置であって、
前記出力手段は、表示パネルへの表示、印刷、メール送信、音声出力、若しくはファイル出力、またはそれらの自由な組み合わせによる出力を行う
ことを特徴とする番組表の出力装置。
【請求項４】
請求項１から３のいずれかに記載の番組表の出力装置であって、
前記楽曲識別データは、ＭＰ３ファイルのＩＤ３タグである
ことを特徴とする番組表の出力装置。
【請求項５】
請求項１から４のいずれかに記載の番組表の出力装置であって、
前記出力手段は、前記楽曲属性データを出力する
ことを特徴とする番組表の出力装置。
【請求項６】
請求項１から５のいずれかに記載の番組表の出力装置と、
前記音楽ファイルを保持する音楽ファイル保持装置と、
前記楽曲識別データに基づいて、楽曲の情報を提供する楽曲情報提供サーバと、
前記楽曲属性データに基づいて、前記楽曲に関連する番組の番組表を提供する番組情報提供サーバと、を有し、
前記番組表の出力装置は、前記音楽ファイル保持装置と接続して前記音楽ファイルの楽曲識別データを取得し、前記楽曲情報提供サーバと接続して楽曲識別データに基づいて前記楽曲属性データを取得し、前記番組情報提供サーバと接続して前記楽曲識別データまたは前記楽曲属性データに基づいて前記楽曲に関連する番組の番組表を取得し、前記番組表を出力する
ことを特徴とする番組表の出力システム。
【請求項７】
請求項６記載の番組表の出力システムであって、
前記音楽ファイル保持装置は、ＣＤプレーヤ、またはＭＰ３プレーヤである
ことを特徴とする番組表の出力システム。
【発明の詳細な説明】
【技術分野】
【０００１】
印刷装置において、ＣＤ（Compact Disk）やＭＰ３（MPEG-1 Audio Layer-3）などの音楽ファイルから、その楽曲やその演奏者の出演するテレビジョンまたはラジオの番組の番組表を印刷する技術に関する。
【背景技術】
【０００２】
これまで、楽曲のデータから関連する番組情報を得る方法として以下の例があった。
【０００３】
音声入力によるキーワードにて、ＥＰＧ（Electronic Program Guide；電子番組表）の番組情報を検索する装置（特許文献１参照）や、端末装置から入力（例えば音声入力）されたキーワードに基づいて、楽曲を検索し、歌詞データ等を印刷する印刷システム（特許文献２参照）や、画像形成装置がメニュー操作により選択した音楽関連情報をダウンロードして印刷するシステム（特許文献３参照）や、音楽データを音楽ＣＤからＨＤＤに保存し、ＣＤ識別情報に対応する音楽情報がバージョンアップしたら、外部から読み込んで音楽データに付加する装置（特許文献４参照）などがあった。
【０００４】
しかし、特許文献１及び２の方法では、入力するキーワードはユーザの記憶に頼らなければならなく、あいまい検索などが充実していないと所望の番組情報を入手することができない問題があった。
【０００５】
また、特許文献３の方法では、所望の音楽をメニュー表示させるまでの工程が煩わしく、特許文献４の方法では、番組情報の取得に言及していない。
【０００６】
【特許文献１】特開２００４−２９２６８号公報
【特許文献２】特開２００２−２７８５６１号公報
【特許文献３】特開２００４−５４６７５号公報
【特許文献４】特開２００４−１８５７７０号公報
【発明の開示】
【発明が解決しようとする課題】
【０００７】
解決しようとする課題は、ユーザ所望の楽曲に関する情報を煩わしい操作なく、正確に取得して出力することと、ユーザが所持している音楽ＣＤや音楽データのオンエア情報、演奏者の出演情報を簡単に取得して出力する番組表の出力装置を提供することである。
【課題を解決するための手段】
【０００８】
本発明の番組表の出力装置は、音楽ファイルから楽曲の識別データを取得する楽曲識別データ取得手段と前記楽曲識別データに基づいて、楽曲属性データを取得する楽曲属性データ取得手段と前記楽曲識別データまたは前記楽曲属性データに基づいて、前記楽曲に関連する番組の番組表を取得する番組情報データ取得手段と前記番組表を出力する出力手段とを有することを最も主要な特徴とする。
【０００９】
本発明の番組表の出力システムは、前記番組表の出力装置と前記音楽ファイルを保持する音楽ファイル保持装置と前記楽曲識別データに基づいて、楽曲の情報を提供する楽曲情報提供サーバと前記楽曲属性データに基づいて、前記楽曲に関連する番組の番組表を提供する番組情報提供サーバとを有し、前記番組表の出力装置は、前記音楽ファイル保持装置と接続して前記音楽ファイルの楽曲識別データを取得し、前記楽曲情報提供サーバと接続して楽曲識別データに基づいて前記楽曲属性データを取得し、前記番組情報提供サーバと接続して前記楽曲識別データまたは前記楽曲属性データに基づいて前記楽曲に関連する番組の番組表を取得し、前記番組表を出力することを最も主要な特徴とする。
【発明の効果】
【００１０】
本発明の番組表の出力装置は、音楽ファイルから楽曲の識別データを取得する楽曲識別データ取得手段と前記楽曲識別データに基づいて、楽曲属性データを取得する楽曲属性データ取得手段と前記楽曲識別データまたは前記楽曲属性データに基づいて、前記楽曲に関連する番組の番組表を取得する番組情報データ取得手段と前記番組表を出力する出力手段とを有することを最も主要な特徴とするため、ユーザ所望の楽曲に関する情報を煩わしい操作なく、正確に取得して出力することが可能となった。また、ユーザが所持している音楽ＣＤや音楽データのオンエア情報、演奏者の出演情報の番組表を出力することが可能となった。
【００１１】
本発明の番組表の出力システムは、前記番組表の出力装置と前記音楽ファイルを保持する音楽ファイル保持装置と前記楽曲識別データに基づいて、楽曲の情報を提供する楽曲情報提供サーバと前記楽曲属性データに基づいて、前記楽曲に関連する番組の番組表を提供する番組情報提供サーバとを有し、前記番組表の出力装置は、前記音楽ファイル保持装置と接続して前記音楽ファイルの楽曲識別データを取得し、前記楽曲情報提供サーバと接続して楽曲識別データに基づいて前記楽曲属性データを取得し、前記番組情報提供サーバと接続して前記楽曲識別データまたは前記楽曲属性データに基づいて前記楽曲に関連する番組の番組表を取得し、前記番組表を出力することを最も主要な特徴とするため、ユーザ所望の楽曲に関する情報を煩わしい操作なく、正確に取得して出力することが可能となった。また、ユーザが所持している音楽ＣＤや音楽データのオンエア情報、演奏者の出演情報の番組表を出力することが可能となった。
【発明を実施するための最良の形態】
【００１２】
音楽ファイルを基にその楽曲の放送される番組またはその演奏者の出演する番組表を煩わしい操作無く簡単に得るために、画像形成装置に接続されたＭＰ３プレーヤまたはＣＤプレーヤから音楽ファイルの楽曲識別データを取得して、該楽曲識別データを基に楽曲情報提供サーバと番組情報提供サーバに接続して、前記楽曲が放送される番組の番組表、その楽曲を含むアルバム中の楽曲が放送される番組の番組表、若しくはその楽曲の演奏者の出演する番組の番組表を取得して、同番組表を印刷、表示、電子メール、またはファイル送信にて出力することにより実現した。
【実施例１】
【００１３】
本発明の実施例として、番組表の出力装置が画像形成装置である場合について以下に説明する。
【００１４】
［構成］
図１は、本発明の実施例に係わる画像形成装置の機能ブロック図である。
【００１５】
画像形成装置１０１（番組表の出力装置）と、ＭＰ３プレーヤ等２０１（音楽ファイル保持装置）、楽曲情報提供サーバ３０１、番組情報提供サーバ３５１との接続はネットワーク等の電気通信回線、その他の信号線で接続されている。
【００１６】
音楽ファイル保持装置であるＭＰ３プレーヤは他のファイル形式、例えばＭＰ４（ＭＰＥＧ−４）等を扱う音楽プレーヤ（ｉＰｏｄ（登録商標）、携帯電話など）であっても良い。
【００１７】
音楽ファイル保持装置であるＣＤプレーヤはＤＶＤプレーヤなど、他のマルチメディアディスクであっても良い。
【００１８】
ＭＰ３プレーヤ、ＣＤプレーヤは画像形成装置に内蔵されていても良い。
【００１９】
楽曲情報提供サーバ３０１、番組情報提供サーバ３５１の検索エンジンは、画像形成装置１０１からの要求に応じて情報検索を行うコンピュータである。
【００２０】
楽曲情報提供サーバ３０１、番組情報提供サーバ３５１の記憶手段は、各種情報データを格納したデータベースを保存するハードディスクやその他書換え可能なメモリである。
【００２１】
楽曲情報提供サーバ３０１、番組情報提供サーバ３５１は同一の装置であっても良い。
【００２２】
番組表の出力装置の実施例として画像形成装置１０１を挙げたが、番組表の出力装置としては、他の出力装置、例えば携帯通信端末（携帯電話、ゲーム機など）、ＤＶＤレコーダ、受信機（ＴＶ、ラジオなど）であっても良い。
【００２３】
出力手段１４０は、楽曲属性データ、番組情報データを各出力形式にあったデータ形式に変換して出力する。
【００２４】
出力手段としては、印刷による出力を行う印刷手段１４１、メール送信による出力を行うメール送信手段１４３、音声による出力を行う音声出力手段１４５、ファイル送信による出力を行うファイル出力手段１４７、及びタッチパネル１３０の表示装置に表示することによる出力を行う表示手段１３３とを有する。
【００２５】
タッチパネル１３０は、楽曲の選択等に用いる入力手段１３１、楽曲属性データや番組表等を表示する表示手段１３３を有する。
【００２６】
画像形成装置の記憶手段１２３は、ＭＰ３プレーヤ等２０１、楽曲情報提供サーバ３０１、番組情報提供サーバ３５１から取得したデータを保存するハードディスク、その他の書換え可能なメモリである。
【００２７】
ＲＯＭ（Read Only Memory）１２１は、本発明に係わる各手段をコンピュータに実行させるためのプログラムを記憶している。
【００２８】
ＣＰＵ（Central Processing Unit）１１０は、制御手段１１１、楽曲識別データ取得手段１１３、楽曲属性データ取得手段１１５、番組情報データ取得手段１１７の各機能を実現する。
【００２９】
制御手段１１１は、各手段、その他の装置全体の動作（動作タイミング、動作内容等）を制御する。
【００３０】
楽曲識別データ取得手段１１５は、ＭＰ３プレーヤまたはＣＤプレーヤ等との通信を制御し、楽曲識別データの送受信を行なう。ここで、楽曲識別データはタイトル名、アーチスト名、楽曲のカテゴリなどで、上記のいずれかであるか、またはそれらの自由な組み合わせであってよい。楽曲識別データは、ＭＰ３のＩＤ３タグに含まれるものであってもよい。また、楽曲識別データは、ＣＤのＩＤコードであってもよい。
【００３１】
楽曲属性データ取得手段１１５は、楽曲情報提供サーバ３０１との通信を制御し、楽曲属性データの送受信を行なう。ここで、楽曲属性データとは、歌詞、楽譜、ディスコグラフィ（アルバム情報）、楽曲に関する最新情報等、楽曲識別データには含まれない楽曲属性データである。楽曲属性データは、上記の各項目のうちのいずれかであるか、またはそれらの自由な組み合わせであってよい。
【００３２】
番組情報データ取得手段１１７は、番組情報提供サーバ３５１との通信を制御し、番組情報データの送受信を行なう。
【００３３】
［ＭＰ３プレーヤでのシーケンス］
図２は、ＭＰ３プレーヤを用いて番組データを印刷出力するまでの手順を示すシーケンス図である。以下に手順に沿って説明する。
【００３４】
Ｓ１１：ＭＰ３プレーヤを画像形成装置（前記した他の出力装置であっても可）に接続すると、画像形成装置１０１の楽曲識別データ取得手段１１３は音楽ＣＤに保存されているデータを認識する。
【００３５】
Ｓ１２：画像形成装置の楽曲識別データ取得手段１１３は、その中から楽曲識別データをＭＰ３プレーヤに要求する。
【００３６】
Ｓ１３：ＭＰ３プレーヤは画像形成装置からの要求に応じて、楽曲識別データを画像形成装置へ送信する。
【００３７】
Ｓ１５：画像形成装置の表示手段１３３は、Ｓ１３で送られてきた楽曲識別データをリスト表示する。
【００３８】
Ｓ１６：画像形成装置は、その入力手段１３１から楽曲の選択指示を受け取る。
【００３９】
Ｓ１７：画像形成装置の楽曲属性取得手段１１５は、楽曲情報提供サーバ３０１に対し、楽曲属性データを要求すると共に、Ｓ１３で送られてきた楽曲識別データを送信する。（必ずしも楽曲識別データの全項目を送信しなくても良い。例えば、アーチスト名だけとか、曲名だけとかであっても良い。）
Ｓ１９：楽曲情報提供サーバは、画像形成装置の楽曲属性取得手段からの要求に応じて、Ｓ１７で送られてきた楽曲識別データに呼応する楽曲属性データを検索する。
【００４０】
Ｓ２０：検索の結果、ヒットした場合は楽曲属性データを画像形成装置へ送信する。ヒットしなかった場合は、画像形成装置へその旨を通知する。
【００４１】
Ｓ２１：画像形成装置は、その入力手段１３１での選択指示を受け取ると、番組情報取得手段１１７が番組情報提供サーバ３５１へ番組データを要求すると共に、選択された楽曲の楽曲識別データまたは楽曲属性データを送信する。
【００４２】
Ｓ２３：番組情報提供サーバは、画像形成装置からの要求に応じて、Ｓ１３で送られてきた楽曲識別データか、Ｓ２０で送られてきた楽曲属性データかに呼応する番組を検索する。（例えば、データがアーチスト名の場合は、そのアーチストが出演する番組を、曲名の場合はその楽曲が演奏される番組を検索する。）
Ｓ２４：検索の結果、ヒットした場合は番組情報データを画像形成装置へ送信する。ヒットしない場合はその旨を画像形成装置に通知する。
【００４３】
ここで、番組情報データとは、チャンネル（周波数）、放送局名、番組名、日時、番組コード（Ｇコード等）等である。
【００４４】
Ｓ２５：画像形成装置の印刷手段１４１は、楽曲情報提供サーバや番組情報提供サーバから取得した、楽曲属性データまたは番組情報データを印刷処理する。例えば、ディスコグラフィの印刷、歌詞の印刷、番組表の印刷等が挙げられる。
【００４５】
ここで、印刷処理に代えて、その他の出力処理、例えばメール送信手段１４３によるメール送信、ファイル出力手段１４７によるファイル出力、またはＦＡＸ出力等でも良い。
【００４６】
また、出力前に一旦、表示手段１３３に表示させてユーザの選択に応じて、出力しても良い。
【００４７】
［ＣＤプレーヤでのシーケンス］
図３は、ＣＤプレーヤを用いて番組データを印刷出力するまでの手順を示すシーケンス図である。以下に手順に沿って説明する。
【００４８】
Ｓ３１：ユーザが音楽ＣＤをＣＤプレーヤに装着する。
【００４９】
Ｓ３２：画像形成装置１０１の楽曲識別データ取得手段１１３は音楽ＣＤに保存されているデータを認識し、その中から楽曲識別データをＣＤプレーヤに要求する。
【００５０】
Ｓ３３：ＣＤプレーヤは画像形成装置からの要求に応じて、楽曲識別データを画像形成装置へ送信する。
【００５１】
Ｓ３５：画像形成装置の楽曲属性データ取得手段１１５は、楽曲情報提供サーバ３０１に対し、楽曲属性データを要求すると共に、Ｓ３３で送られてきた楽曲識別データを送信する。
【００５２】
Ｓ３７：楽曲情報提供サーバは、画像形成装置からの要求に応じて、Ｓ３５で送られてきた楽曲識別データに呼応する楽曲属性データを検索する。
【００５３】
Ｓ３８：検索の結果、ヒットした場合は楽曲属性データを画像形成装置へ送信する。ヒットしなかった場合は、画像形成装置へその旨を通知する。
【００５４】
Ｓ３９：画像形成装置は、Ｓ３８で送られてきた楽曲属性データを表示手段１３３によりリスト表示する。
【００５５】
Ｓ４１：画像形成装置は、その入力手段１３１から楽曲の選択指示を受け取る。
【００５６】
Ｓ４２：画像形成装置の番組情報データ取得手段１１７は、番組情報提供サーバへ番組データを要求すると共に、選択された楽曲識別データまたは楽曲属性データを送信する。（必ずしも楽曲識別データまたは楽曲属性データの全項目を送信しなくても良い。例えば、アーチスト名だけとか、曲名だけとかで良い。）
Ｓ４３：番組情報提供サーバは、画像形成装置からの要求に応じて、楽曲識別データか、楽曲属性データかに呼応する番組を検索する。（例えば、データがアーチスト名の場合は、そのアーチストが出演する番組を、曲名の場合はその楽曲が演奏される番組を検索する。）
Ｓ４４：検索の結果、ヒットした場合は番組情報データを画像形成装置へ送信する。ヒットしない場合はその旨を画像形成装置に通知する。
【００５７】
ここで、番組情報データとは、チャンネル（周波数）、放送局名、番組名、日時、番組コード（Ｇコード等）等である。
【００５８】
Ｓ４５：画像形成装置の印刷手段１４１は、楽曲情報提供サーバや番組情報提供サーバから取得した楽曲属性データまたは番組情報データを印刷処理する。例えば、ディスコグラフィの印刷、歌詞の印刷、番組表の印刷等が挙げられる。
【００５９】
ここで、印刷処理に代えて、その他の出力処理、例えばメール送信手段１４３によるメール送信、ファイル出力手段１４７によるファイル出力またはＦＡＸ出力等でも良い。
【００６０】
また、出力前に一旦、表示手段に表示させてユーザの選択に応じて、出力しても良い。
【００６１】
［表示画面例］
図４は、楽曲属性のデータが、画像形成装置の表示手段１３３によりタッチパネル１３０上に表示された画面の例である。各楽曲のタイトル名及びアーチスト名（演奏者名）及び当該レコード又はＣＤの画像をディスコグラフィとして表示してある。
【００６２】
上記画面上の、所望のタイトル名、アーチスト名あるいはディスコグラフィ（アルバム画像）にタッチすると、画像形成装置はタッチ箇所に該当する楽曲またはアルバム名を認識して、選択対象の楽曲名、アルバム名、演奏者名を決定する。
【００６３】
［番組表印刷例］
図５は、番組表の印刷例である。前記楽曲属性データリストにて表示された楽曲またはアーチストの選択された項目（楽曲名、アルバム名、演奏者名）に対してその楽曲（又はアルバム中の楽曲）の放送される番組表及びそのアーチスト（演奏者）の出演する番組が図５のように印刷される。
【００６４】
なお、出力手段は、印刷以外に表示装置への表示や、音声出力や、電子メール送信や、ファイル出力であっても良い。
【００６５】
出力形式は、図５のように文字によるものであっても良いし、その他に二次元バーコードなど画像による形式であってもよい。
【００６６】
［実施例の効果］
本発明実施例の画像形成装置により、以下のことが可能となった。
【００６７】
ユーザ所望の楽曲に関する情報を煩わしい操作なく、正確に取得することができる。
【００６８】
ユーザが所持している音楽ＣＤや音楽データのオンエア情報、演奏者の出演情報を簡単に取得することができる。
【図面の簡単な説明】
【００６９】
【図１】本発明の実施例に係わる画像形成装置とその周辺装置の機能ブロック図である（実施例１）。
【図２】本発明の実施例に係わる画像形成装置にＭＰ３プレーヤを接続したときの動作のシーケンス図である（実施例１）。
【図３】本発明の実施例に係わる画像形成装置にＣＤプレーヤを接続したときの動作のシーケンス図である（実施例１）。
【図４】本発明の実施例に係わる画像形成装置の表示パネルに表示された楽曲属性データリストの例である（実施例１）。
【図５】本発明の実施例に係わる画像形成装置が印刷出力した番組表の例である（実施例１）。
【符号の説明】
【００７０】
１０１  画像形成装置（番組表の出力装置）
１１０  ＣＰＵ
１１１  制御手段
１１３  楽曲識別データ取得手段
１１５  楽曲属性データ取得手段
１１７  番組情報データ取得手段
１２１  ＲＯＭ
１２３  記憶手段
１３０  タッチパネル
１３１  入力手段
１３３  表示手段（出力手段）
１４０  出力手段
１４１  印刷手段（出力手段）
１４３  メール送信手段（出力手段）
１４５  音声出力手段（出力手段）
１４７  ファイル出力手段（出力手段）
２０１  ＭＰ３プレーヤまたはＣＤプレーヤ（音楽ファイル保持装置）
３０１  楽曲情報提供サーバ
３１１  検索エンジン
３１３  記憶手段
３５１  番組情報提供サーバ
３６１  検索エンジン
３６３  記憶手段
【図１】
2008206075.tif 000003
【図２】
2008206075.tif 000004
【図３】
2008206075.tif 000005
【図４】
2008206075.tif 000006
【図５】
2008206075.tif 000007